【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
映像信号が示すフレーム画像のうちの一部の画像部分に対応する領域の画素については前記映像信号に応じた映像表示を行い、前記画像部分以外の領域の画素については透過性表示を行う第１の表示部と、
前記第１の表示部の背面側に配置され、前記画像部分に対応する領域の画素については単一色または混合色からなるダミー背景画像を表示し、前記画像部分以外の領域の画素については透過性表示を行う第２の表示部と
を備えた表示装置。
【請求項２】
前記第１の表示部および前記第２の表示部は、各画素の光透過度合を示す透過映像信号に基づいて前記透過性表示を行う
請求項１に記載の表示装置。
【請求項３】
前記画像部分に対応する領域における前記透過映像信号が示す平均光透過度合は、前記画像部分以外の領域における前記透過映像信号が示す平均光透過度合よりも低い
請求項２に記載の表示装置。
【請求項４】
前記光透過度合は、前記画像部分以外の領域において一様でない
請求項３に記載の表示装置。
【請求項５】
前記光透過度合は、前記画像部分以外の領域において一様である
請求項３に記載の表示装置。
【請求項６】
前記透過映像信号に対してフィルタ処理を行うフィルタ部をさらに備え、
前記第１の表示部および前記第２の表示部は、前記フィルタ処理が行われた前記透過映像信号に基づいて前記透過性表示を行う
請求項３から請求項５のいずれか一項に記載の表示装置。
【請求項７】
前記映像信号および前記透過映像信号が互いに多重化された状態で入力される入力部をさらに備えた
請求項２から請求項６のいずれか一項に記載の表示装置。
【請求項８】
前記映像信号が入力される第１の入力部と、
前記透過映像信号が入力される第２の入力部と
をさらに備えた
請求項２から請求項６のいずれか一項に記載の表示装置。
【請求項９】
前記第２の入力部はネットワークインタフェースであり、
前記透過映像信号はインターネットを介して供給される
請求項８に記載の表示装置。
【請求項１０】
前記映像信号に基づいて前記透過映像信号を生成する透過映像信号生成部をさらに備えた
請求項２から請求項６のいずれか一項に記載の表示装置。
【請求項１１】
前記第１の表示部は自発光型の表示部であり、
前記第２の表示部は非発光型の表示部である
請求項１から請求項１０のいずれか一項に記載の表示装置。
【請求項１２】
前記第１の表示部は非発光型の表示部であり、
前記第２の表示部は自発光型の表示部である
請求項１から請求項１０のいずれか一項に記載の表示装置。
【請求項１３】
前記第１の表示部は非発光型の表示部であり、
前記第２の表示部は、選択反射型の表示部である
請求項１から請求項１０のいずれか一項に記載の表示装置。
【請求項１４】
前記第１の表示部および前記第２の表示部は、一体として形成されている
請求項１から請求項１３のいずれか一項に記載の表示装置。
【請求項１５】
前記画像部分に対応する領域の画素については前記映像信号に応じた映像表示を行い、前記画像部分以外の領域の画素については透過性表示を行う第３の表示部をさらに備え、
前記第１の表示部、前記第２の表示部、前記第３の表示部がこの順に配置された
請求項１から請求項１４のいずれか一項に記載の表示装置。
【請求項１６】
前記第１の表示部は、複数の視点画像を表示し、
ユーザが前記複数の視点画像のそれぞれを分離して観察するための視点画像分離部をさらに備えた
請求項１から請求項１５のいずれか一項に記載の表示装置。
【請求項１７】
前記第１の表示部は、複数の視点画像を空間分割的に表示し、
前記視点画像分離部は、パララックスバリアまたはレンチキュラーレンズである
請求項１６に記載の表示装置。
【請求項１８】
前記第１の表示部は、複数の視点画像を時分割的に表示し、
前記第１の表示部の表示動作に同期して透過または遮断可能な左眼シャッタおよび右眼シャッタを有するシャッタ眼鏡に対して制御信号を送信する制御部をさらに備えた
請求項１から請求項１５のいずれか一項に記載の表示装置。
【請求項１９】
映像信号に基づいて、各画素の光透過度合を示す透過映像信号を生成する透過映像信号生成装置と、
表示装置と
を備え、
前記表示装置は、
前記映像信号が示すフレーム画像のうちの一部の画像部分に対応する領域の画素については前記映像信号に応じた映像表示を行い、前記画像部分以外の領域の画素については前記透過映像信号に基づく透過性表示を行う第１の表示部と、
前記第１の表示部の背面側に配置され、前記画像部分に対応する領域の画素については単一色または混合色からなるダミー背景画像を表示し、前記画像部分以外の領域の画素については前記透過映像信号に基づく透過性表示を行う第２の表示部と
を有する表示システム。
【請求項２０】
映像信号に基づいて、各画素の光透過度合を示す透過映像信号を生成し、
第１の表示部において、映像信号が示すフレーム画像のうちの一部の画像部分に対応する領域の画素については前記映像信号に応じた映像表示を行い、前記画像部分以外の領域の画素については前記透過映像信号に基づく透過性表示を行い、
前記第１の表示部の背面側に配置された第２の表示部において、前記画像部分に対応する領域の画素については単一色または混合色からなるダミー背景画像を表示し、前記画像部分以外の領域の画素については前記透過映像信号に基づく透過性表示を行う
表示方法。
【手続補正２】
【補正対象書類名】明細書
【補正対象項目名】０００７
【補正方法】変更
【補正の内容】
【０００７】
本発明はかかる問題点に鑑みてなされたもので、その目的は、表示内容や、表示装置を
使用する環境によらず、視認性を高めることができる表示装置、表示システム、および表示方法を提供することにある。
【手続補正３】
【補正対象書類名】明細書
【補正対象項目名】０００８
【補正方法】変更
【補正の内容】
【０００８】
本発明の表示装置は、第１の表示部と、第２の表示部とを備えている。第１の表示部は、映像信号が示すフレーム画像のうちの一部の画像部分に対応する領域の画素については映像信号に応じた映像表示を行い、画像部分以外の領域の画素については透過性表示を行うものである。第２の表示部は、第１の表示部の背面側に配置され、画像部分に対応する領域の画素については単一色または混合色からなるダミー背景画像を表示し、画像部分以外の領域の画素については透過性表示を行うものである。ここで、「映像信号に応じた映像表示」は、映像信号が示す部分画像をそのまま表示することの他、その部分画像を、光透過度合いをやや高めて表示することをも含むものである。「透過性表示」は、完全な透明表示には限られず、光透過度合いをやや低下させた表示をも含むものである。また、「ダミー背景画像」の表示は、完全な不透明状態での表示には限られず、光透過度合いをやや高めた表示をも含むものである。
本発明の表示システムは、透過映像信号生成装置と、表示装置とを備えている。透過映像信号生成部は、映像信号に基づいて、各画素の光透過度合を示す透過映像信号を生成するものである。表示装置は、第１の表示部と、第２の表示部とを有している。第１の表示部は、映像信号が示すフレーム画像のうちの一部の画像部分に対応する領域の画素については映像信号に応じた映像表示を行い、画像部分以外の領域の画素については透過映像信号に基づく透過性表示を行うものである。第２の表示部は、第１の表示部の背面側に配置され、画像部分に対応する領域の画素については単一色または混合色からなるダミー背景画像を表示し、画像部分以外の領域の画素については透過映像信号に基づく透過性表示を行うものである。
【手続補正４】
【補正対象書類名】明細書
【補正対象項目名】０００９
【補正方法】変更
【補正の内容】
【０００９】
本発明の表示方法は、映像信号に基づいて、各画素の光透過度合を示す透過映像信号を生成し、第１の表示部において、映像信号が示すフレーム画像のうちの一部の画像部分に対応する領域の画素については映像信号に応じた映像表示を行い、画像部分以外の領域の画素については透過映像信号に基づく透過性表示を行い、第１の表示部の背面側に配置された第２の表示部において、画像部分に対応する領域の画素については単一色または混合色からなるダミー背景画像を表示し、画像部分以外の領域の画素については透過映像信号に基づく透過性表示を行うものである。
【手続補正５】
【補正対象書類名】明細書
【補正対象項目名】００１０
【補正方法】変更
【補正の内容】
【００１０】
本発明の表示装置、表示システム、および表示方法では、第１の表示部と第２の表示部において表示が行われる。その際、第１の表示部では、画像部分に対応する領域の画素については映像信号に応じた映像表示が行われ、画像部分以外の領域の画素については透過性表示が行われる。また、第２の表示部では、画像部分に対応する領域の画素については単一色または混合色からなるダミー背景画像が表示され、画像部分以外の領域の画素については透過性表示が行われる。
【手続補正６】
【補正対象書類名】明細書
【補正対象項目名】００１６
【補正方法】変更
【補正の内容】
【００１６】
本発明の表示装置、表示システム、および表示方法によれば、第１の表示部と第２の表示部とを設けるようにしたので、表示内容や、表示装置を使用する環境によらず、視認性を高めることができる。